(57)【要約】【課題】内容物を移し替えている間、閉鎖部材が開いた状態が維持される注出スパウトを提供する。【解決手段】スパウト本体１０Ａと閉鎖ユニット２０とを備えた注出スパウト１０について、スパウト本体１０Ａは、被貼り合わせ部１５と筒状部１１と流路１８とを少なくとも備え、閉鎖ユニット２０は、閉鎖部材２１と取り付け部２４と連結部材２３とを有し、スパウト本体１０Ａには、被取り付け部４０が形成され、連結部材２３は、閉鎖部材２１の取り付け部２４側であって、袋本体部側に向けられた第１面と、取り付け部材２４とを連結し、閉鎖部材２１は、取り付け部２４側であって、連結部材２３は、第１面とは反対側の第２面における連結部材２３が連結された部位に対応する一定領域が包装容器のノズル５８により支持することによって、閉鎖部材２１が被貼り合わせ部１５の袋本体部側の端面とのなす角度θが９０度よりも小さく保持される。【選択図】図５
2020070039.tif 000002
【特許請求の範囲】
【請求項１】
詰め替え容器に設けられ、前記詰め替え容器に収容された内容物を包装容器に注出するための注出スパウトであって、
前記注出スパウトは、スパウト本体と閉鎖ユニットとを備え、
前記スパウト本体は、前記詰め替え容器を構成する袋本体部に貼り合わされる被貼り合わせ部と、前記内容物を注出する筒状部と、前記内容物を前記詰め替え容器の内部から外部に通すための流路とを、少なくとも備え、
前記閉鎖ユニットは、前記流路に対して開閉自在な閉鎖部材と、前記スパウト本体に前記閉鎖ユニットを着脱可能に取り付ける取り付け部と、前記閉鎖部材と前記取り付け部をつなぐ連結部材とを有し、
前記スパウト本体には、前記取り付け部が着脱可能に取り付けられる被取り付け部が形成され、
前記包装容器は、容器本体と、前記容器本体に収容された内容物を注出するための注出ユニットと、を備え、
前記注出ユニットは、内容物を注出するノズルを少なくとも有し、
前記連結部材は、前記閉鎖部材の前記取り付け部側であって、前記閉鎖部材が前記流路を閉鎖している形態において、前記袋本体側に向けられた第１面と、前記取り付け部材とを連結し、
前記閉鎖部材は、前記閉鎖部材の前記取り付け部側であって、前記第１面とは反対側の第２面における前記連結部材が、前記閉鎖部材に連結された部位に対応する一定領域が前記ノズルにより支持することによって、前記閉鎖部材が前記被貼り合わせ部の前記袋本体部側の端面とのなす角度が９０度よりも小さく保持される、ことを特徴とする注出スパウト。
【請求項２】
前記閉鎖部材が前記ノズルによって押し上げられて前記流路を開いた形態において、前記連結部材の長さが、前記第２面を前記ノズルの外周面に接触させることが可能な範囲内に形成されている、請求項１に記載の注出スパウト。
【請求項３】
前記連結部材は、前記連結部材接続部から前記閉鎖部材に向かって延びる第１構成部と、前記第１構成部に対して屈曲し、前記第１構成部の先端から前記第１面に向かって延びる第２構成部とで構成され、
前記連結部材は、前記閉鎖部材を前記ノズル側に向かって付勢する付勢力を有する、請求項１又は２に記載の注出スパウト。
【請求項４】
前記被取り付け部には、前記閉鎖部材側に向かって張り出す連結部材接続部が形成され、
前記連結部材における長手方向の一端が前記連結部材接続部に接続され、他端が前記閉鎖部材における前記第１面に接続されている、請求項１〜３のいずれか１項に記載の注出スパウト。
【発明の詳細な説明】
【技術分野】
【０００１】
本発明は、注出スパウトに関し、さらに詳しくは、内容物を所定の包装容器に注入するために内容物を収容している詰め替え容器を構成するための注出スパウトに関する。
【背景技術】
【０００２】
包装容器の中には、別途に設けられた詰め替え容器から内容物を注入し、繰り返し利用するものがある。詰め替え容器は、袋本体部と、この袋本体部に取り付けられた注出スパウトとを備えている。注出スパウトは内容物を袋本体部から注出させて包装容器に注入させる構成部である。本件特許出願人は、詰め替え容器を構成する、上記の注出スパウトについて種々提案している。
【０００３】
特許文献１で提案している注出スパウトは、本件特許出願人が提案しているものである。この注出スパウトは、注出スパウトから内容物を注出する流路を開閉可能にしている閉鎖部材を備えたものである。具体的に、この注出スパウトは、注出スパウトの本体と流路を閉鎖するための構成体が一体に形成されている。閉鎖するための構成体は、流路の外側をなす一端側に設けられており、一端側で流路を開閉している。閉鎖部材は、袋本体側から加えられる外力によって流路から取り外される形態で流路の一端側の内周面に水平をなしてはめ込まれている。閉鎖部材は、紐状又は帯状の連結部材によって、注出スパウトにつながれている。
【先行技術文献】
【特許文献】
【０００４】
【特許文献１】特許第６２３６１３９号
【発明の概要】
【発明が解決しようとする課題】
【０００５】
本件特許出願人は、上述した特許文献１に記載の注出スパウトを提案した後も鋭意注出スパウトについて研究を進めてきた。その結果、詰め替え容器を構成する袋本体部に貼り合わされるスパウト本体と、スパウト本体とは別体として構成し、スパウト本体に形成された流路を開閉する閉鎖ユニットと、によって構成する注出スパウトを発明した。閉鎖ユニットは、流路を開閉する閉鎖部材と、閉鎖ユニットをスパウト本体に着脱可能に取り付ける取り付け部と、閉鎖部材とり付け部をつなぐ連結部材とで構成される。こうした注出スパウトでは、詰め替え容器から内容物を包装容器に移し替えている間、閉鎖部材が流路を閉鎖することなく開いた状態が維持されることが必要である。
【０００６】
本発明は、上記課題を解決するためになされたものであり、その目的は、内容物を移し替えている間、閉鎖部材が開いた状態が維持される注出スパウトを提供することにある。
【課題を解決するための手段】
【０００７】
上記課題を解決するための本発明に係る注出スパウトは、詰め替え容器に設けられ、前記詰め替え容器に収容された内容物を包装容器に注出するための注出スパウトであって、前記注出スパウトは、スパウト本体と閉鎖ユニットとを備え、前記スパウト本体は、前記詰め替え容器を構成する袋本体部に貼り合わされる被貼り合わせ部と、前記内容物を注出する筒状部と、前記内容物を前記詰め替え容器の内部から外部に通すための流路とを、少なくとも備え、前記閉鎖ユニットは、前記流路に対して開閉自在な閉鎖部材と、前記スパウト本体に前記閉鎖ユニットを着脱可能に取り付ける取り付け部と、前記閉鎖部材と前記取り付け部をつなぐ連結部材とを有し、前記スパウト本体には、前記取り付け部が着脱可能に取り付けられる被取り付け部が形成され、前記包装容器は、容器本体と、前記容器本体に収容された内容物を注出するための注出ユニットと、を備え、前記注出ユニットは、内容物を注出するノズルを少なくとも有し、前記連結部材は、前記閉鎖部材の前記取り付け部側であって、前記閉鎖部材が前記流路を閉鎖している形態において、前記袋本体側に向けられた第１面と、前記取り付け部材と、を連結し、前記閉鎖部材は、前記閉鎖部材の前記取り付け部側であって、前記第１面とは反対側の第２面における前記連結部材が、前記閉鎖部材に連結された部位に対応する一定領域が前記ノズルにより支持されることによって、前記閉鎖部材が前記被貼り合わせ部の前記袋本体部側の端面とのなす角度が９０度よりも小さく保持される、ことを特徴とする。
【０００８】
この発明によれば、上述した構成を備えた注出スパウトにおいて、閉鎖部材は、閉鎖部材の取り付け部側であって、連結部材が閉鎖部材に連結された部位に対応する、第１面とは反対側の第２面における連結部材が閉鎖部材に連結された部位に対応する一定領域がノズルにより支持することによって、閉鎖部材が被貼り合わせ部の袋本体部側の端面とのなす角度が９０度よりも小さい形態に保持される。閉鎖部材がノズルにより保持されるので、内容物を移し替えている間、閉鎖部材が開いた状態が維持される。
【０００９】
本発明に係る注出スパウトにおいて、前記閉鎖部材が前記ノズルによって押し上げられて前記流路を開いた形態において、前記連結部材の長さが、前記第２面を前記ノズルの外周面に接触させることが可能な範囲内に形成されている。
【００１０】
この発明によれば、連結部材の長さが、第２面をノズルの外周面に接触させることが可能な範囲内に形成されているので、閉鎖部材が流路を開放した形態において、閉鎖部材における連結部材が連結された部位に対応する一定領域が、ノズルの先端よりも袋本体部の内側に移動することがない。そのため、閉鎖部材は確実にノズルに接触し、閉鎖部材の開いた形態がノズルにより保持される。
【００１１】
本発明に係る注出スパウトにおいて、前記連結部材は、前記連結部材接続部から前記閉鎖部材に向かって延びる第１構成部と、前記第１構成部に対して屈曲し、前記第１構成部の先端から前記第１面に向かって延びる第２構成部とで構成され、前記連結部材は、前記閉鎖部材を前記ノズル側に向かって付勢する付勢力を有する。
【００１２】
この発明によれば、上述したように、連結部材が第１構成部と第２構成部とで構成され、連結部が閉鎖部材をノズル側に向かって付勢する付勢力を有するので、開かれた形態の閉鎖部材は、連結部材とノズルとで挟み込まれた状態になり、閉鎖部材の開かれた形態が維持される。
【００１３】
本発明に係る注出スパウトにおいて、前記被取り付け部には、前記閉鎖部材側に向かって張り出す連結部材接続部が形成され、前記連結部材における長手方向の一端が前記連結部材接続部に接続され、他端が前記閉鎖部材における前記第１面に接続されている。
【００１４】
この発明によれば、被取り付け部には、閉鎖部材側に向かって張り出す連結部材接続部が形成され、連結部材における長手方向の一端が連結部材接続部に接続され、他端が閉鎖部材における第１面に接続されているので、連結部材接続部が連結部材に付勢力を与えることができる。その結果、連結部材とノズルとが閉鎖部材を挟み込み、閉鎖部材を開いた形態に維持することができる。
【発明の効果】
【００１５】
本発明によれば、内容物を移し替えている間、閉鎖部材が開いた状態が維持され、且つ移し替えが終わった後、流路を速やかに閉鎖する機能を有する注出スパウトを提供することができる。
【図面の簡単な説明】
【００１６】
【図１】本発明に係る注出スパウトを使用した詰め替え容器の一例を示す平面図である。
【図２】本発明に係る注出スパウトがスパウト本体と閉鎖ユニットとを分かれた形態で示す側面図である。
【図３】本発明に係る注出スパウトがスパウト本体と閉鎖ユニットと一体化した形態を示す側面図である。
【図４】本発明に係る注出スパウトを第２面側からみた平面図である。
【図５】注出スパウトにおいて、閉鎖部材が開いた形態を説明するための説明図である。
【図６】包装容器の一例を示す側面図である。
【図７】包装容器に用いられている注出ユニットの斜視図である。
【図８】本発明に係る注出スパウトの作用を説明するための説明図である。
【発明を実施するための形態】
【００１７】
以下、図面を参照しつつ、本発明の実施形態について説明する。本発明は、以下に説明する実施形態及び図面に記載した形態と同じ技術的思想の発明を含むものであり、本発明の技術的範囲は実施形態の記載や図面の記載のみに限定されるものでない。
【００１８】
［基本構成］
本発明は、詰め替え容器１に収容された内容物を注出するために詰め替え容器１に設けられた注出スパウト１０である。注出スパウト１０は、スパウト本体１０Ａと、閉鎖ユニット２０とで主に構成されている。スパウト本体１０Ａは、被貼り合わせ部１５、筒状部１１、及び流路１８を少なくとも備えている。被貼り合わせ部１５は、詰め替え容器１を構成する袋本体部５に貼り合わされる部位である。筒状部１１は、内容物を注出するための構成要素である。流路１８は、内容物を詰め替え容器１の内部から外部に通すための構成要素である。
【００１９】
閉鎖ユニット２０は、流路１８を開閉する構成体である。閉鎖ユニット２０は、閉鎖部材２１、取り付け部２４、及び連結部材２３により構成されている。閉鎖部材２１は、流路１８に対して開閉自在であって、流路１８を閉鎖したり開放したりするための構成要素である。取り付け部２４は、スパウト本体１０Ａに閉鎖ユニット２０を着脱可能に取り付けるための構成要素である。連結部材２３は、閉鎖部材２１と取り付け部２４をつなぐための構成要素であり、閉鎖部材２１の取り付け部２４側であって、閉鎖部材２１が流路１８を閉鎖している形態において、袋本体側に向けられた第１面と取り付け部材とを連結している。また、スパウト本体１０Ａには、取り付け部２４が着脱可能に取り付けられる被取り付け部４０が形成されている。
【００２０】
包装容器５０は、容器本体５１と、容器本体５１に収容された内容物を注出するための注出ユニット５５と、を備え、注出ユニット５５は、内容物を注出するノズル５８を少なくとも有している。ノズル５８は、閉鎖部材２１の取り付け部２４側であって、第１面とは反対側の第２面における連結部材２３が閉鎖部材２１に連結された部位に対応する一定領域を支持する。ノズル５８がこのように閉鎖部材２１を支持することによって、閉鎖部材２１が被貼り合わせ部１５の袋本体部５側の端面とのなす角度が９０度よりも小さい形態に保持される。
【００２１】
本発明によれば、内容物を移し替えている間、閉鎖部材２１が開いた状態が維持され、且つ移し替えが終わった後、流路１８を速やかに閉鎖する機能を有する注出スパウト１０を提供できるという特徴的な効果を奏する。
【００２２】
以下、注出スパウト１０が用いられる詰め替え容器１の概要、包装容器５０の概要、注出スパウト１０の具体的な構成、詰め替え容器１から内容物が補充される包装容器５０の概要、及び注出スパウト１０の作用について説明する。
【００２３】
［詰め替え容器］
本発明に係る注出スパウト１０が用いられる詰め替え容器１は、この詰め替え容器１とは別に使用される包装容器５０に内容物を充填したり、補充したりするための容器である。詰め替え容器１の形態や種類は特に限定されない。図１には、詰め替え容器１の一例としてのスタンディングパウチを示している。この詰め替え容器１は、対向する一対の平面部２と、詰め替え容器１の底部を閉じている底面部３と、本発明に係る注出スパウト１０と、を有している。
【００２４】
平面部２は、上端縁同士がシールされると共に、両側端縁同士がシールされている。一対の平面部２の下端縁は、底面部３における各平面部２の下端縁に対向する端縁部にそれぞれシールされている。底面部３は、中心の折目４で二つ折りされており、折目４が詰め替え容器１の上側に向かって折り込まれている。底面部３は、折り込まれた形態から詰め替え容器１の平面部２が配置されている方向に広げられることによって、詰め替え容器１の底部を広げることができるように構成されている。
【００２５】
本発明に係る注出スパウト１０は、詰め替え容器１の上端縁に取り付けられている。注出スパウト１０は、スパウト本体１０Ａと、閉鎖ユニット２０とで主に構成されている。スパウト本体１０Ａは、上述したように、被貼り合わせ部１５、筒状部１１、及び流路１８を有している。なお、図１に示した実施形態では、注出スパウト１０が詰め替え容器１の上部中央に取り付けられた形態を一例として取り上げている。ただし、特に図面には示していないが、注出スパウト１０が詰め替え容器１の上部において、幅方向の側方にずれた位置に設けてもよい。また、詰め替え容器１に上端縁と側端縁とが斜めに傾斜する傾斜部により連絡された部位を設け、傾斜部に注出スパウト１０を取り付けてもよい。
【００２６】
詰め替え容器１から内容物を包装容器５０に移し替える場合には、注出スパウト１０を閉じているキャップ６を取り外し、詰め替え容器１の上下を逆さまにする。そして、注出スパウト１０を包装容器５０の注出ユニット５５に突き刺して、詰め替え容器１から内容物を包装容器５０に直接移し替える。なお、この作用は、後ほど詳細に説明する。
【００２７】
［注出スパウト］
注出スパウト１０は、二つの構成部材から構成されている。１つは、スパウト本体１０Ａであり、もう一つは、閉鎖ユニット２０である。
【００２８】
〈スパウト本体〉
スパウト本体１０Ａは、図２〜図４に示すように、被貼り合わせ部１５、筒状部１１、及び流路１８を少なくとも備えている。スパウト本体１０Ａにおける被貼り合わせ部１５と筒状部１１との境目の位置には、図４に示すように、長方形又は略長方形をなすフランジ部１５Ａが設けられている。
【００２９】
（被貼り合わせ部）
被貼り合わせ部１５は、詰め替え容器１に貼り合わされる部位である。この被貼り合わせ部１５は、外形が舟形をなしている。すなわち、図２〜図４において、被貼り合わせ部１５の両側面は、Ｘ方向の中心部でＹ方向に半円状に張り出す張り出し部１６を有している。これに対しＸ方向の両端部は、両端側に向かって先細りをなし、両側面がＸ方向の両端部で接続されている。また、被貼り合わせ部１５には、Ｘ方向に延びる複数の突出部１７が形成されている。
【００３０】
（筒状部）
筒状部１１は、詰め替え容器１の内部に収容されている内容物を注出するための注出口として機能する。筒状部１１は、円筒状又は略円筒状に形成されている。筒状部１１の外周には、キャップ６をねじ込むためのねじ山１２が形成されている。
【００３１】
（流路）
流路１８は、内周の形状が円形をなしていて、図２及び図３の破線で示すように、筒状部１１の外側に位置する一端部Ａ側と被貼り合わせ部１５における詰め替え容器１の内側をなす他端部Ｂとを貫いている。そのため、流路１８は、詰め替え容器１の内側と外側とを連通させることができるように構成されている。流路１８における被貼り合わせ部１５における詰め替え容器１の内側をなす他端部Ｂには、閉鎖部材２１の外周部を係り合わせるための溝が形成されている。閉鎖部材２１間は、その外周部がこの溝に係り合わされることによって流路１８を閉鎖する。
【００３２】
流路１８の内周面には、ガイド１９が形成されている。ガイド１９は、包装容器５０の注出ユニット５５を構成するノズル５８を筒状部１１の先端から奥に向けて案内する。ガイド１９は、流路１８の内周面から中心に向けて突出しており、筒状部１１が延びる方向Ｌと同一の方向に延びるようにして形成されている。ガイド１９の断面の形状は、ノズル５８を案内することができる形状であれば特に限定されない。
【００３３】
（被取り付け部）
被取り付け部４０は、被貼り合わせ部１５において、詰め替え容器１の袋本体部５側に形成されている。この被取り付け部４０は、閉鎖ユニット２０の取り付け部２４が取り付けられる部位である。被取り付け部４０は、流路１８の外側に形成された孔である。被取り付け部４０は、図２及び図３に示すように、取り付け部２４を構成しているアーム２６が挿入される孔と、この孔の内側に向かって張り出し、アーム２６の先端に形成されている爪２７が係り合わされる係合部とで構成されている。以下、係合部を第１孔４１、アーム２６が挿入される孔を第２孔４２として説明する。被取り付け部４０は、袋本体部５側の端面から一定の深さの位置に形成された幅の小さな第１孔４１と、第１孔４１の奥に形成された幅の大きな第２孔４２とで構成されている。第１孔４１と第２孔４２との境界部には、肩部４３が設けられている。肩部４３は、後に詳細を説明するように、取り付け部２４に設けられた爪２７が係り合わされる部位である。
【００３４】
上述したスパウト本体１０Ａは、下記の閉鎖ユニット２０とは別の構成部品であるため、スパウト本体１０Ａを射出成形等により製造する場合、樹脂を型の隅々まで短時間で供給でき、短時間で成形することができる。また、注出スパウト１０はスパウト本体１０Ａと閉鎖ユニット２０とが別体であるので、型の隅々まで樹脂を供給することができ、高い品質のスパウト本体１０Ａを製造することができる。
【００３５】
〈閉鎖ユニット〉
閉鎖ユニット２０は、スパウト本体１０Ａに形成されている流路１８を閉鎖したり、開放したりするための構成体である。閉鎖ユニット２０は、閉鎖部材２１と、取り付け部２４と、連結部材２３とにより構成されている。
【００３６】
（閉鎖部材）
閉鎖部材２１は、スパウト本体１０Ａの流路１８を開閉できるように構成されている。閉鎖部材２１は、流路１８の内周部の形状と同形又はほぼ同形に形成されており、流路１８の内側、具体的は溝にはめ込まれることにより、流路１８を閉鎖する。閉鎖部材２１の外周部は、図２及び図３に示すように、厚さ方向の中間部が、一面側（他端部Ｂ側）及び他面側（一端部Ａ側）に比べ、径方向の外側向かって突出していて、流路１８に形成された溝に係り合わせやすくなっている。上述したように、流路１８の内周には溝が形成されていて、閉鎖部材２１の外周部が流路１８の溝に係り合わされることにより、閉鎖部材２１が流路１８を閉鎖する。一方、流路１８を閉鎖している閉鎖部材２１に、一面側（他端部Ｂ側）から他面側（一端部Ａ側）に向かう外力が与えられると、閉鎖部材２１の外周部が流路１８の溝から外れる。その際、閉鎖部材２１の外周部は詰め替え容器１の外側に向かって先細りとなるテーパー状に形成されているので、閉鎖部材２１は溝から円滑に外される。外周部が溝から外れた結果、閉鎖部材２１が流路１８から取り外され、流路１８が開放される。
【００３７】
閉鎖部材２１の他面側（一端部Ａ側）には第１突起部２２が形成されている。具体的に、第１突起部２２は、閉鎖部材２１の他面側（一端部Ａ側）における、取り付け部２４と対角をなす位置に設けられている。この第１突起部２２は、必要に応じて設けられる構成部である。第１突起部２２は、注出スパウト１０を製造する際に、後述するように、閉鎖ユニット２０をスパウト本体１０Ａに供給する際に利用される。
【００３８】
（取り付け部）
取り付け部２４は、閉鎖ユニット２０をスパウト本体１０Ａに取り付けるための構成部である。取り付け部２４は、図２の上部に示すように、胴部２５と、胴部２５から下側に延びる１対のアーム２６と、胴部２５の上側に突出する第２突起部２９とで構成されている。第２突起部２９は、第１突起部２２と同様に、注出スパウト１０を製造する際に、閉鎖ユニット２０をスパウト本体１０Ａに供給する際に利用される。
【００３９】
胴部２５の内部にはスリット３０，３１，３２が形成されている。スリット３０，３１，３２は取り付け部２４の上下方向延びる直線状の直線スリット３０と、直線スリット３０の下側で、閉鎖部材２１側に向かって斜めに形成された傾斜スリット３１と、アーム２６の間に形成された鉛直スリット３２と、で構成されている。傾斜スリット３１に対応する部位には、曲がり部３５が形成されていて、傾斜スリット３１は、この曲がり部３５の一で直線スリット３０に対して傾斜し、アーム２６の根元側が閉鎖部材側にずれている。傾斜スリット３１の先端は、胴部２５の下端部まで延びている。一方、胴部２５の外周部には、閉鎖部材２１側に向かって突出する連結部材接続部２８が形成されている。連結部材接続部２８には、連結部材２３が一体的につながれる。１対のアーム２６の根元は、胴部２５の下端部にて、傾斜スリット３１を間に挟み、所定の間隔を空けて設けられている。１対のアーム２６は、傾斜スリット３１の溝幅と同じ間隔を空けて胴部２５から下側に向かって延びている。傾斜スリット３１の溝幅と同じ間隔を空けてなりアーム２６の間に形成された部位は、鉛直スリット３２である。１対のアーム２６の先端には爪２７がそれぞれ設けられ、各爪２７は、アーム２６を起点として反対側に向かってそれぞれ突出している。各爪２７は、アーム２６の先端側が先細りとなるようにテーパー状をなしている。
【００４０】
（連結部材）
連結部材２３は、閉鎖部材２１と取り付け部２４とをつないでいる構成部であり、紐状又は帯状をなしている。連結部材２３は、閉鎖ユニット２０を射出成形によって製造する際に、閉鎖部材２１及び取り付け部２４と一体に成形される。その際、連結部材２３の一端は、閉鎖部材２１における詰め替え容器１の内側を向いている他面側（一端部Ａ側）とは反対側の一面側（他端部Ｂ側）につながれる。また、連結部材２３の他端は、取り付け部２４の連結部材２３取り付け部２４につながれる。但し、閉鎖部材２１と取り付け部２４とは別々に成形し、一端を閉鎖部材２１に取り付け、他端を取り付け部２４に取り付けてもよい。
【００４１】
こうした連結部材２３は、第１構成部２３ａと第２構成部２３ｂとで構成されている。第１構成部２３ａは、連結部材接続部４１から閉鎖部材２１に向かって延びており、第２構成部２３ｂは、第１構成部２３ａに対して屈曲し、第１構成部２３ａの先端から第１面に向かって延びている。
【００４２】
［閉鎖部材が開いた形態］
図５は、閉鎖部材２１が開いた形態を示している。閉鎖部材２１が開いた形態において、閉鎖部材２１は、その取り付け部２４側がノズル５８によって支持される。具体的に、閉鎖部材２１は、連結部材２３が閉鎖部材２１に連結された部位に対応する、第１面とは反対側の第２面が連結部材２３により支持される。支持される領域は、閉鎖部材２１に連結された部位に対応する一定領域である。閉鎖部材２１が開いた形態において、閉鎖部材２１は、被貼り合わせ部１５の袋本体部５側の端面とのなす角度が９０度よりも小さい形態に保持される。
【００４３】
連結部材２３の長さは、一定の長さに制限されている。具体的に、連結部材２３の長さは、第２面をノズル５８の外周面に接触させることが可能な範囲内に形成されている。こうした連結部材２３は、閉鎖部材２１をノズル５８側に向かって付勢する付勢力を有している。すなわち、閉鎖部材２１が開くと、連結部材２３は閉鎖部材２１が開く力に抗し、閉鎖部材２１を閉じる方向に付勢する。その結果、閉鎖部材２１は、ノズル５８と連結部材２３によって挟まれた状態となり、閉鎖部材２１は、安定して開いた形態が維持される。
【００４４】
連結部材２３に付勢力を与える構成として次の構成を挙げることができる。すなわち、第２突起部２９に連結部材接続部２８を形成することである。連結部材接続部２８は、取り付け部２４における第２突起部２９に形成されている。具体的に、連結部材接続部２８は、第２突起部２９から閉鎖部材２１側に向かって張り出すようにして形成されている。そして、連結部材２３は、その長手方向の一端が連結部材接続部２８に接続され、他端が閉鎖部材２１における第１面に接続されている。
以上に説明した詰め替え容器１は、以下に説明する包装容器５０に内容物を注ぎ入れるために用いられる。包装容器５０の構成を簡単に説明する。
【００４５】
［包装容器］
包装容器５０は、詰め替え容器１に収容された内容物が補充される容器である。包装容器５０は、例えば、樹脂等で構成される。図６は、包装容器５０の一例を示している。図６に示した包装容器５０は、取っ手５２が設けられた容器本体５１と、容器本体５１に収容された内容物を注出するための注出ユニット５５とで構成されている。この包装容器５０は、詰め替え容器１から移された内容物を必要なときに必要な量だけ包装容器５０から注出して用いられる。
【００４６】
包装容器５０の注出ユニット５５は、本体部５６と本体部５６を開閉するためのキャップ５９とで構成されている。本体部５６は、図７に示すように、周壁面５７と、周壁面５７の内側に配置されたノズル５８とを備えている。周壁面５７は、筒状をなし、その内側は空洞になっている。
【００４７】
ノズル５８は、本体部５６の中央又は略中央の位置に配置されている。ノズル５８は、周壁面５７とつながれており周壁面５７と一体をなしている。ノズル５８は、本体部５６の上側に向かって突出し、その先端が、周壁面５７の上端よりも上側に位置するように構成されている。但し、図７は、ノズル５８の形状の１つの例を示しており、ノズル５８の形状は特に限定されない。
【００４８】
［詰め替え容器の内容物を包装容器に補充する手順及び注出スパウトの作用］
図８を参照し、詰め替え容器１に収容されている内容物を包装容器５０に補充する手順と、本実施形態の注出スパウト１０の作用について説明する。なお、図８は、注出ユニット５５の作用をわかりやすくするために、詰め替え容器１の袋本体部５及び包装容器５０の容器本体５１については、図示していない。ただし、注出スパウト１０は、図１に示した、詰め替え容器１に取り付けられ、注出ユニット５５は、図８に示した包装容器５０に設けられている。
【００４９】
まず、注出スパウト１０からキャップ６を取り外し、詰め替え容器１の上下を逆にして、詰め替え容器１の下側に注出スパウト１０を位置させる。注出スパウト１０の流路１８は、閉鎖部材２１により閉じられているので、詰め替え容器１に収容されている内容物がこぼれ出すことはない。また、包装容器５０の注出ユニット５５において、本体部５６からキャップ５９はあらかじめ取り外されている。
【００５０】
次に、図８（Ａ）に示すように、注出スパウト１０を、包装容器５０の注出ユニット５５の位置に一致させ、詰め替え容器１を押し下げて、注出ユニット５５のノズル５８を注出スパウト１０の流路１８に挿入させる。
【００５１】
詰め替え容器１を押し下げると、ノズル５８の先端が閉鎖部材２１を押し上げる。そのため、図８（Ｂ）に示すように、閉鎖部材２１が流路１８から取り外される。すなわち、閉鎖部材２１は、流路１８が延びる方向Ｌにおける一面側（他端部Ｂ側）から加えられる外力によって、閉鎖部材２１の外周部が流路１８の内周面に形成された溝から取り外される。
【００５２】
図８（Ｂ）に示すように、閉鎖部材２１が開いた形態では、閉鎖部材２１の取り付け部２４側がノズル５８の先端及び先端付近によって支持される。連結部材２３の長さは、流路１８を開いた形態において、閉鎖部材２１の第２面をノズル５８の外周面に接触させることが可能な範囲内に形成されている。そのため、閉鎖部材２１の取り付け部２４側が、ノズル５８の先端よりも袋本体部５側に移動することが抑制され、閉鎖部材２１がノズル５８によって支持されないという状態を回避することができる。閉鎖部材２１が開いた形態において、閉鎖部材２１と被貼り合わせ部１５の袋本体部側の端面とのなす角度は、９０度よりも小さい形態に保持される。
【００５３】
また、閉鎖部材２１は、連結部材２３によって、ノズル５８側に付勢される。連結部材２３は、連結部材接続部２８から閉鎖部材２１に向かって延びる第１構成部２３ａと、第１構成部２３ａに対して屈曲し、第１構成部２３ａの先端から第１面に向かって延びる第２構成部２３ｂとで構成されている。また、被取り付け部４０には第２突起部２９が形成されており、第２突起部２９には、閉鎖部材２１側に向かって張り出す連結部材接続部２８が形成されている。そして、連結部材２３は、その長手方向の一端が連結部材接続部２８に接続され、他端が閉鎖部材２１における第１面に接続されている。
【００５４】
連結部材２３及び連結部材接続部２８が上記のように構成されているので、連結部材接続部２８は、屈曲した連結部材２３に付勢力を与え、開いた形態の閉鎖部材２１をノズル５８に押し付ける。そのため、閉鎖部材２１は、図８（Ｂ）に示すように、開いた形態が保持される。
【符号の説明】
【００５５】
１  詰め替え容器
２  平面部
３  底面部
４  折目
５  袋本体部
６  キャップ
１０  注出スパウト
１０Ａ  スパウト本体
１１  筒状部
１２  ねじ山
１５  被貼り合わせ部
１５Ａ  フランジ部
１６  張り出し部
１７  突出部
１８  流路
１９  ガイド
２０  閉鎖ユニット
２１  閉鎖部材
２２  第１突起部
２３  連結部材
２３ａ  第１構成部
２３ｂ  第２構成部
２４  取り付け部
２５  胴部
２６  アーム
２７  爪
２８  連結部材接続部
２９  第２突起部
３０，３１，３２  スリット
３０  直線スリット
３１  傾斜スリット
３２  鉛直スリット
３５  曲がり部
４０  被取り付け部
４１  第１孔
４２  第２孔
４３  肩部
５０  包装容器
５１  容器本体
５２  取っ手
５５  注出ユニット
５６  本体部
５７  周壁面
５８  ノズル
５９  キャップ
【図１】
2020070039.tif 000003
【図２】
2020070039.tif 000004
【図３】
2020070039.tif 000005
【図４】
2020070039.tif 000006
【図５】
2020070039.tif 000007
【図６】
2020070039.tif 000008
【図７】
2020070039.tif 000009
【図８】
2020070039.tif 000010